(57)【要約】      （修正有）【課題】髪型に応じて、頭髪のカットすべき箇所及びその長さを容易に把握できるヘアカット用型材及び練習教材、並びに使用感が良く、しかも髪型再現性に優れたヘアカット補助具を提供する。【解決手段】ヘアカット用型材１は、髪型に応じて、天頂部を通る頭部垂直断面の頭皮を複数のブロックに分け、ブロックごとに毛髪を所定の長さにカットするために用いるヘアカット用型材とする。さらに、複数のブロックに対応して、板状若しくは棒状で、長手方向に伸縮可能な伸縮部材１０を複数個備え、複数の伸縮部材１０が端部で回転可能に連結され、髪型に対応して、伸縮部材１０の各々の長さ及び隣り合う伸縮部材１０間の角度を、所定の値に設定する構成としたことを特徴とする。またヘアカット練習教材１００及び補助具は、以上のヘアカット用型材１を回転自在に支持する支持回転機構２０を備えたものである。【選択図】図１
0003161361.tif 000002
【実用新案登録請求の範囲】
【請求項１】
髪型に応じて、天頂部を通る頭部垂直断面の頭皮部を複数のブロックに分け、ブロックごとに毛髪を所定の長さにカットし、又はカットした毛髪が所定の長さであるかを確認するために用いるヘアカット用型材であって、
前記複数のブロックに対応して、板状若しくは棒状で、長手方向に伸縮可能な伸縮部材を複数個備え、前記複数の伸縮部材が端部で回転可能に直線的に連結され、
髪型に対応して、前記伸縮部材の各々の長さ及び隣り合う前記伸縮部材間の角度を、所定の値に設定する構成としたことを特徴とするヘアカット用型材。
【請求項２】
前記伸縮部材に、その長さを設定するための目盛りと、隣り合う伸縮部材間の角度を測るための分度器と、を設けたことを特徴とする請求項１に記載のヘアカット用型材。
【請求項３】
前記伸縮部材に、その長さを設定するための目盛りと、隣り合う伸縮部材間の角度を設定するための目盛りとを設けたことを特徴とする請求項１に記載のヘアカット用型材。
【請求項４】
前記複数の伸縮部材の目盛り又は前記角度を髪型に対応させたことを特徴とする請求項１〜３のいずれか１項に記載のヘアカット用型材。
【請求項５】
前記連結された複数の伸縮部材の一方の端部に、挟持機構を設けたことを特徴とする請求項１〜４のいずれか１項に記載のヘアカット用型材。
【請求項６】
請求項１〜４のいずれか１項に記載のヘアカット用型材と、ヘアカット練習用ウィッグと、該ウィッグを支持する固定軸と、前記ヘアカット用型材の端部を前記固定軸の廻りに回転可能に支持する型材支持回転機構と、を備えたことを特徴とするヘアカット練習教材。
【請求項７】
前記型材支持回転機構は、前記ヘアカット用型材を複数個、独立して回転可能に支持する構成としたことを特徴とする請求項６に記載のヘアカット練習教材。
【請求項８】
請求項５に記載のヘアカット用型材と、ヘアカット練習用ウィッグと、該ウィッグを支持する固定軸と、を備え、前記ヘアカット用型材の前記挟持機構で前記固定軸又は前記ヘアカット練習用ウィッグの首部を挟持する構成としたことを特徴とするヘアカット練習教材。
【請求項９】
請求項１〜４のいずれか１項に記載のヘアカット用型材と、該ヘアカット用型材を首の廻りを周回させる型材支持回転機構とを備えたことを特徴とするヘアカット補助具。
【請求項１０】
前記型材支持回転機構は、複数の前記ヘアカット用型材を、独立して回転可能に支持する構成としたことを特徴とする請求項９に記載のヘアカット補助具。
【考案の詳細な説明】
【技術分野】
【０００１】
本考案は、ヘアカット用型材並びにこれを用いたヘアカット練習教材及び補助具に係り、特に、ヘアカットの入門者、初級者が所望の髪型を再現性良く創り上げるための型材及び練習教材に関する。
【背景技術】
【０００２】
美容学校等では、様々な髪型及びそのカット方法等について学習する。その後のウィッグを用いた実習では、写真や見本等を参照しながら、ウィッグの毛髪をブロック分けし、ブロックごとに所定の長さにカットして、所望の髪型を作りあげる訓練を繰り返し行う。しかしながら、ある程度のまとまりのある髪型を作り出せるようになるには、結局は、数をこなして感覚的に体得するしかなく、時間のみならず教材費用がかさむという問題があった。
【０００３】
このような問題を解決する目的で、次のようなヘアカット教材が開示されている。例えば、初心者用のヘアカット用教材として、頭皮部分を複数のブロックに分割し、ブロックごとに異なる色の毛髪を装着したウィッグが開示されており、これをヘアカットの練習に用いることで、毛髪のブロック分けを習得することができる(特許文献１)。
また、練習用ウィッグのみならず、人間の頭部にも装着可能で、毛髪を複数のブロックに分割することが可能な補助具が開示されている。この補助具は、フレーム本体とこれに装着されるＵ字型可動フレームとからなり、フレーム本体は側頭部から後頭部にかけて生え際に沿うように形成される左右一対のM字型のサイドフレームと、左右のサイドフレームの前端部を連結する伸縮性のフロントフレームと、後頭部を左右に分割するように頭頂部まで延設されるバックフレームとで構成される。可動フレームとフレーム本体とで毛髪をブロック分割することができ、各ブロックでは毛束単位で同じカットを繰り返して行う。このようにして、初心者でも所望の髪型を創り上げることができる述べている(特許文献２)。
【先行技術文献】
【特許文献】
【０００４】
【特許文献１】特開２００３−１６４３３０
【特許文献２】特開２００５−３１２９２０
【考案の概要】
【考案が解決しようとする課題】
【０００５】
しかし、上述した従来のカット練習用のウィッグや補助具は、頭部（毛髪）がどのようなブロックに分割されることは分かるものの、そのカット長さについては定めることはできず、結局は習熟に頼らざるを得ないのが実情である。従って、ブロック間で長さにアンバランスが生じたり、又は同一ブロック内でもカットの長さが毛束ごとにバラついてしまい、全体として、まとまりのある髪型を実現するのは容易ではなかった。この傾向は、ウエット状態でカットする場合により顕著になる。すなわち、従来の教材、補助具等を用いることにより、毛髪のブロック分けは容易になるにせよ、全体として、習熟のために多くの練習が必要となるのに変わりはない。
【０００６】
また、カット後の確認も、従来は、各ブロックごとに見本や写真等と見比べて行っており、感覚的でかつ手間がかかるものであることから、簡単でかつ確実に髪型を確認できる方法が求められていた。
【０００７】
さらには、熟練した美容師であっても、顧客の好みの髪型を常に再現するのは容易でなく、わずかな違いであっても、場合によっては常連の客を失望させることにもなりかねない。また、特許文献２の補助具は、頭に装着し、左右のサイドフレームを伸縮性の部材で引っ張り合うため煩わしい、不快と感じる場合も少なくない。そこで、再現性良くカットでき、しかも頭に直接、装着することのない、使用感に優れた簡易な補助具が求められていた。
【０００８】
このような状況において、本考案は、美容関係の初心者、入門者が髪型に応じて、毛髪のカットすべき箇所及びその長さを容易に把握できるヘアカット用型材及び練習教材を提供することを目的とする。また、カット後に、ブロックごとの毛髪長さが所望の髪型通りになっているかを容易に確認できる型材を提供することを目的とする。さらに、本考案は、使用性が高く、しかも髪型再現性に優れたヘアカット補助具を提供することを目的とする。
【課題を解決するための手段】
【０００９】
本考案のヘアカット用型材は、髪型に応じて、天頂部を通る頭部垂直断面の頭皮部を複数のブロックに分け、ブロックごとに毛髪を所定の長さにカットし、又はカットした毛髪が所定の長さであるかを確認するために用いるヘアカット用型材であって、
前記複数のブロックに対応して、板状若しくは棒状で、長手方向に伸縮可能な伸縮部材を複数個備え、前記複数の伸縮部材が端部で回転可能に直線的に連結され、
髪型に対応して、前記伸縮部材の各々の長さ及び隣り合う前記伸縮部材間の角度を、所定の値に設定する構成としたことを特徴とする。
ここで、前記伸縮部材間の角度を決めるための分度器や目盛りを取り付けたり、前記伸縮部材の長さを決めるための目盛りを設けるのが好ましい。さらに、前記複数の伸縮部材の目盛り又は前記角度を髪型に対応させるのが好ましい。すなわち、角度や長さの目盛りを所定の髪型Ａ，Ｂ、Ｃ等に対応させておけば型材の設定が容易となる。
なお、本考案において、「直線的に連結」とは、ヘアカット用型材は両端部を有し、複数の伸縮部材を環状には連結しないことを意味する。
【００１０】
また、本考案のヘアカット用型材は、さらに、端部に挟持機構を設けたことを特徴とする。この挟持機構でヘアカット練習用ウィッグを支持する固定軸や首廻りを挟持等してヘアカット用型材を固定することも可能となる。
【００１１】
本考案のヘアカット練習教材は、上記した本考案のヘアカット用型材と、ヘアカット練習用ウィッグと、該ウィッグを支持する固定軸と、前記ヘアカット用型材の端部を前記固定軸の廻りに回転可能に支持する型材支持回転機構と、を備えたことを特徴とする。また、型材支持回転機構を設けずに、上述した挟持機構を有するヘアカット用型材を用いて、型材を固定軸等の廻りに移動・取付けを繰り返す構成としても良い。
一方、ヘアカット補助具は、ヘアカット用型材と、該ヘアカット用型材を首の廻りを周回させる型材支持回転機構とを備えたことを特徴とする。
なお、本考案において、前記型材支持回転機構は、複数の前記ヘアカット用型材をそれぞれ独立して回転可能に支持する構成とするのが好ましい。
【考案の効果】
【００１２】
本考案のヘアカット練習教材を用いることにより、美容関係の初心者、入門者であっても、髪型に応じてカットすべき箇所及びその長さを容易に把握することができ、ヘアカットの基本的技術を独学で、しかも短期間で習熟することができる。
また、ある程度習熟した段階では、ヘアカット用型材をヘアカット後の確認用に用いることで、全体としてバランスのとれた髪型を常に作り出すことができる。
【００１３】
さらに、本考案のヘアカット補助具を用いることにより、個々の顧客に固有な髪型であっても常に再現することができる。すなわち、細かな要求をする顧客に対しても、髪型に対応したデータを簡単、確実に残すことができ、毎回、同じ髪型を再現することができる。また、従来と異なり、頭に直接、装着するものではないため、装着による不快感が生じることもない。
【図面の簡単な説明】
【００１４】
【図１】図１は、本考案のヘアカット練習教材の一例を示す概略図である。
【図２】図２は、本考案のヘアカット用型材を構成する伸縮部材の一例を示す概略図である。
【図３】図３は、ヘアカット用型材を回転可能に支持する型材支持回転機構の一例を示す概略断面図である。
【図４】図４は、図１の練習教材を用いたカッティング方法を説明する概略図である。
【図５】図５は、本考案のヘアカット用型材の他の例を示す概略図である。
【図６】図６は、型材支持回転機構の他の例を示す概略図である。
【図７】図７は、本考案のヘアカット補助具の一構成例を示す概略図である。
【考案を実施するための形態】
【００１５】
以下に、実施例を挙げ、図面を参照しながら本考案をより具体的に説明する。
【実施例１】
【００１６】
図１に、本考案のヘアカット練習教材１００の一例を示す概略図であり、ウィッグ３０を横から見た図である。
本実施例のヘアカット練習教材１００は、ヘアカット練習用のウィッグ３０と、ウィッグの首部３２下端を支持するウィッグ固定軸４２と、固定軸４２をテーブル等の端部４０に固定するためのクランプ４０と、髪型に応じて所定の形状に設定されたヘアカット用型材１と、ヘアカット型材１を固定軸４２の廻りに回転可能に支持する型材支持回転機構２０と、から構成される。なお、固定軸４２は、クランプ４０に取付けられた支持ブロック４１を介してテーブル等５０に固定されている。
【００１７】
ここで、ヘアカット用型材１は、図に示すように、複数(図の例では５個)の板状伸縮部材１０が端部で回転自在に直線的に連結されたもので、髪型に応じて、各々の伸縮部材１０の長さ及び伸縮部材間の角度が設定される。個々の伸縮部材は、例えば図２に示したように、外枠１２と内板１１とからなり、内板が外枠に挿入され、摺動して移動する。内板は所定の位置でストッパ１５で固定され、伸縮部材は全体として所定の長さに設定される。伸縮部材の両端には、それぞれ他の伸縮部材と連結するための孔１３ａ及び１３ｂが設けられている。
【００１８】
さらに、外枠の孔１３ｂを中心として、分度器１４が取り付けられいる。隣り合う伸縮部材は、この分度器１４を挟みこんで、内板の孔１３ａと外枠の孔１３ｂを合わせ、ピン、リベット、ネジ等１７で回動自在に連結される。このようにして、複数の伸縮部材を連結して、所望の形状のヘアカット用型材を作製する。なお型材は、例えば、折尺のような構成にすれば、収納に便利である。
【００１９】
内板１１の長さ目盛り１６や分度器１４の角度目盛１４ａは、髪型に応じて、それぞれ伸縮部材の長さ及び隣の伸縮部材との角度を決定するためのものである。この目盛りとしては、数値の他に、例えば、ボブやレイヤー等の髪型名を目盛りとして書き入れてもも良い。この場合、例えば、各伸縮部材の内板の目盛り及び外枠の角度目盛りを髪型に対応した目盛りとする。このようにすると、カットのたびごとに、長さ及び角度の数値を調べて、調整する手間が省け、短時間で所望の髪型の型材を容易に組み立てることができる。
【００２０】
なお、隣り合う伸縮部材間の角度を設定するために用いる分度器の代わりに、直接外枠や内板に角度に対応した印を書き込むようにしても良い。
【００２１】
次に、図３を参照して、ヘアカット型材を固定軸の廻りに回転自在に支持する型材支持回転機構２０を説明する。
本実施例の型材支持回転機構２０は、例えば、ベアリング２１と、ベアリングの外輪２１ａに固定され、ヘアカット用型材１を支持するための連結部２３を有するスリーブ２２と、から構成される。なお、ベアリングの内輪２１ｂは固定軸４２に固定される。ヘアカット用型材１の端部は連結部２３に取り付けられ、固定軸４２の廻りに回転することができる。取り付け方法は、何ら限定するものではなく、ネジ等による固定の他、クリップその他の挟持部材を用いても良い。また、後述する図５に示したヘアカット用型材を用いる場合は、挟持機構１８で連結部２３を挟むようにして固定する。
【００２２】
続いて、図１のヘアカット練習教材１００を用いたウィッグのヘアカット方法を説明する。
まず所望の髪型に応じてヘアカット用型材１を調整する。すなわち、図１及び４の例では５枚の伸縮部材１０ａ〜１０ｅのそれぞれ長さ及び角度を、髪型に応じた長さ及び角度に設定する。ここで、各々の伸縮部材は、頭の天頂を含む垂直面で切断したときの頭皮部ブロックに対応するものであり、各ブロックの毛髪の切断長さを定めることになる。型材１の端部を型材支持回転機構の連結部２３に取り付けると、型材１は、固定軸４２を中心にして自由に回転する。
【００２３】
ヘアカットは、例えば、まず最下端の第１の伸縮部材１０ａを基準にして、一度にカットできる毛束単位を取り出し、頭皮に平行にカットする。この毛束単位のカットと型材の回転とを繰り返し行う。全周にわたり、カットした後は同様にして第２〜第５の伸縮部材１０ｂ〜１０ｅを基準にして同様にカットする。ここで、毛束の取り出し及びカット方法は、具体的には、図４に示したように、伸縮部材（図４の例では第３の伸縮部材１０ｃ）に略平行な頭皮部分の毛髪（毛束）を頭皮に垂直に引き出し、伸縮部材を基準に、頭皮に平行にカットする。すなわち破線に沿ってカットする。
このようにして、全体として、対称性のあるバランスのとれたヘアカットが可能となる。特に、初心者の場合、左右の側頭部でバランスを取るのは難しいが、本実施例の教材を用いることにより、容易に実現することが可能となる。
なお、ヘアカットの手順は、すなわち、カットする毛束の選択及び型材の回転の手順等は上述したもの限るものではなく、髪型に応じていかようにしても良い。また、伸縮部材としては、以上の板状のものの他に、例えばラジオのアンテナに用いられる棒状の伸縮部材を用いても良い。
【実施例２】
【００２４】
実施例１に示したヘアカット用型材及び型材支持回転機構を用いる代わりに、図５に示したヘアカット用型材を用いることにより、同様のヘアカット練習教材を構成することも可能である。本実施例のヘアカット用型材は、図５に示すように、実施例１のヘアカット用型材の一端部にクリップ等の挟持機構１８を設けたものであり、この挟持機構で固定軸４２やウィッグの首３２を挟んでヘアカット用型材１を取り付ける。ヘアカットにおいては、毛束のカットごとに、ヘアカット型材１の固定軸からの取外し、固定軸の廻りに回転移動、固定軸への取付けを行う必要があることから、実施例１に比べて若干面倒にはなるものの、同様に安定したヘアカットが可能となる。
【実施例３】
【００２５】
実施例１は、軸対称な髪型について述べてきたが、非対称な髪型も本考案の教材を用いて行うことができる。
例えば、左右の側部と、後部で異なる髪型の場合は、側部用と後部用の２つのヘアカット用型材を用意しており、後部と側部とで型材を取り替えて、それそれの対応する領域ごとにそれぞれの型材を用いて同様にカットを行えばよい。
なお、スリーブにヘアカット用型材１の連結部２３を複数設けておき、それぞれに異なる型材を同時に取り付ける構成としても良い。
【実施例４】
【００２６】
実施例１においては、ベアリングとスリーブを用いた型材支持回転機構について説明したが、例えば、図６に示した型材支持支持回転機構を用いることもできる。図６において、（ａ）は、平面図、（ｂ）はＡ−Ａ’断面図、（ｃ）は正面図である。
この支持回転機構は、２つの半環状部材２５ａ，２５ｂを蝶番２６で接合して環状としたもので、固定軸４２を挟んだ後に蝶番とは反対側をクリップ等２４で挟持する。半環状部材２５ａ、２５ｂは内部に環状の空隙部２７を有し、該空隙部は環状のスリット２８を通して、外部と連通している。連結部２３は空隙部２７内部に設けられたストッパ２３ａと一体となって、環状部材２５の円周上を移動する。従って、連結部に連結される型材は、固定軸の廻りを回転することになる。なお、ストッパ(不図示)を設け、所定の位置に固定するようにしても良い。
本実施例では、複数の連結部を取り付けることができ、しかも個々の連結部は互いに独立に移動可能であることから、使い勝手が向上し、またより複雑で多様な髪型にも対応することができる。
【実施例５】
【００２７】
本考案のヘアカット用型材は、上述したように固定軸等に取り付けて用いる他に、型材単体で用いることもできる。すなわち、美容学校では、ある程度習熟レベルが向上すると、図１のような練習教材を用いることなく、自分の技能、技術だけでヘアカットを行うことになる。この場合は、カット終了後（又はカットの途中で適宜）、ヘアカット用型材を使用する。例えば、型材を手で持って頭の周辺を回転させながら、カットした毛髪が所定のブロックで所望の長さになっているかを確認することができ、自分のカッティングの傾向等を把握できるとともに、課題等を抽出することができ、カッティング技術のより速やかな習熟が可能となる。
【実施例６】
【００２８】
一方、現実に美容師として、顧客のヘアカットを行っている場合にも本考案の型材を効果的に用いることができる。例えば、顧客は、全体としては基本的な髪型であっても、顧客自身は固有な髪型と自負している場合が多い。従って、顧客の固有な部分を常に再現しないと信頼を失いことにもなりかねない。そこで、本考案の型材に基づくデータを顧客ごとに蓄積しておくことで、データに基づく型材を確認しながらカットを行うことができ、結果として毎回同じ髪型を再現することが可能となる。
【００２９】
さらには、図７に示したヘアカット補助具２００を用いることにより、より確実に所望のヘアカットを再現性良く行うことができる。図７の補助具は、首の廻りを周回する１乃至複数の連結部２３に所定の型材（不図示）を連結し、全体を肩にかけて用いる。連結部２３が周回するメカニズムは、例えば図６に示した構成と同様の支持回転機構が用いられる。例えば、顧客の所望する髪型に相当する基本の髪型に必要とされるヘアカット用型材を必要に応じ複数個用意し、図７の連結部２３に取り付ける。顧客の要求に応じて、複数のヘアカット用型材の各々について、各々の伸縮部材の長さや角度を修正し、変更する。これを新たなデータとして残して置くことにより、次回来店したとき、これらのデータに基づくヘアカット補助具を用いることにより、その顧客固有のヘアスタイルを確実に再現することが可能となる。
【００３０】
また、図に示すように、本実施例のヘアカット補助具は肩に載せるだけであり、従来例のように、頭に取り付けるのものとは異なり、煩わしさや不快感を引き起こすことはない。
【符号の説明】
【００３１】
１  ヘアカット用型材、
１０  伸縮部材、
１１  内板、
１２  外枠、
１４  分度器、
１５  ストッパ、
１８  挟持機構、
２０  型材支持回転機構、
２１  ベアリング、
２２  スリーブ、
２３  連結部、
２５  環状部材、
２７  環状空隙、
２８  スリット、
３０  ウィッグ、
３１  毛髪、
３２  首、
４０  クランプ、
４２  ウィッグ固定軸、
５０  テーブル、
１００  ヘアカット練習教材、
２００  ヘアカット補助具。
【図１】
0003161361.tif 000003
【図２】
0003161361.tif 000004
【図３】
0003161361.tif 000005
【図４】
0003161361.tif 000006
【図５】
0003161361.tif 000007
【図６】
0003161361.tif 000008
【図７】
0003161361.tif 000009